(57)【特許請求の範囲】
【請求項１】
マンホールの上端開口部に設けられ、小径筒部の上端部と、内周面が上方に拡径するテーパー状に形成された大径筒部の下端部とを水平環状部で、その水平環状部の内周側と外周側にそれぞれ連設してなる受枠と、
下向きにフランジ状に突出した外筒部が円板部の外周に設けられ、その外筒部の外周面が前記大径筒部の内周面と同一テーパー状に形成されてなる蓋体とで構成され、
該蓋体を閉じると、該蓋体外筒部の外周面が前記受枠大径筒部の内周面に摺接するとともに、前記蓋体外筒部と前記受枠の水平環状部との間に隙間を形成したマンホールの蓋構造において、
前記蓋体外筒部の下端部の外周面側を下側に向けて突出する曲線状に形成して蓋体Ｒ面とすると共に、前記受枠の大径筒部内周面と前記水平環状部との連設部分でかつ前記蓋体Ｒ面に対向する部位を下側に向けて突出する曲線状に形成して受枠Ｒ面としたことを特徴とするマンホールの蓋構造。
【請求項２】
マンホールの上端開口部に設けられ、小径筒部の上端部と、内周面が上方に拡径するテーパー状に形成された大径筒部の下端部とを水平環状部で、その水平環状部の内周側と外周側にそれぞれ連設してなる受枠と、
下向きにフランジ状に突出した外筒部が円板部の外周に設けられ、その外筒部の外周面が前記大径筒部の内周面と同一テーパー状に形成されてなる蓋体とで構成され、
該蓋体を閉じると、該蓋体外筒部の外周面が前記受枠大径筒部の内周面に摺接するとともに、前記蓋体外筒部と前記受枠の水平環状部との間に隙間を形成したマンホールの蓋構造において、
前記蓋体外筒部の下端部の外周面側を下側に向けて突出する曲線状に形成して蓋体Ｒ面とすると共に、前記受枠の大径筒部内周面と前記水平環状部との連設部分でかつ前記蓋体Ｒ面に対向する部位を下側に向けて突出する曲線状に形成して受枠Ｒ面とし、前記蓋体に押下げ力が作用した場合に前記蓋体Ｒ面を受枠Ｒ面に当接させるようにしたことを特徴とするマンホールの蓋構造。
【発明の詳細な説明】
【０００１】
【発明の属する技術分野】
本発明は、マンホールの上端開口部に位置する受枠と、その受枠の上端部に嵌入し、開口部を閉塞する蓋体とで構成されるマンホールの蓋構造に関するものである。
【０００２】
【従来の技術】
一般に、マンホールの蓋構造は、図１０に示すように、上端開口部に位置する受枠１０と、その受枠１０の上端部に嵌入して開口部を閉塞する蓋体１４とで構成される。
受枠１０は、大径筒部１２の下端部と小径筒部１１の上端部とを水平環状部１３で連設して形成した略円筒形状であり、蓋体１４は円板部１５と外筒部１６を有し、受枠１０の大径筒部１２に嵌入する大きさの略円板状である。そして、蓋体１４の着脱を可能とするために、受枠１０の大径筒部１２の内周面１２ａと、それに摺接する蓋体１４の外筒部１６の外周面１６ａを、上方に拡径するテーパー状としている。
【０００３】
また、受枠１０の大径筒部１２と水平環状部１３との連設部分は直角に形成し、さらに、蓋体１４の外筒部１６と受枠１０の水平環状部１３との間には隙間を形成すると共に必要に応じてシール材８を設け、さらにまた、外筒部１６の外周面１６ａ下端部には斜めに直線的に切欠いた切欠部１６ｂを形成している。
【０００４】
【発明が解決しようとする課題】
しかしながら、従来のマンホールの蓋構造は、車両等が蓋体１４の上を通過することによって当該蓋体１４が受枠１０に必要以上にくい込んでしまい、マンホール内を点検する際などに蓋体１４を人力で開けることができないといった問題がある。
また、車両等が蓋体１４の上を通過する際に、当該蓋体１４が左右不均一に動いていわゆるガタツキが発生し、その外周面１６ａと受枠１０の内周面１２ａとの間で異音が発生するといった問題もある。
【０００５】
さらに、蓋体１４が受枠１０に必要以上にくい込むのを防止するために、受枠１０の水平環状部１３上にストッパー（図示せず）を設け、蓋体１４の外筒部１６下面をストッパーに当接させる手段も考えられるが、そうすると当該外筒部１６下面とストッパーとの間でも異音が発生してしまう。
【０００６】
そこで、本発明の目的とするところは、蓋体が受枠に必要以上にくい込むのを防止するとともにマンホール内を点検する際などに蓋体を人力で開けることができ、また、蓋体と受枠との間で異音が発生することのないマンホールの蓋構造を提供することにある。
【０００７】
【課題を解決するための手段】
上記の目的を達成するために、本発明の請求項１に記載のマンホールの蓋構造は、マンホールの上端開口部に設けられ、小径筒部（２）の上端部と、内周面（３ａ）が上方に拡径するテーパー状に形成された大径筒部（３）の下端部とを水平環状部（４）で、その水平環状部（４）の内周側と外周側にそれぞれ連設してなる受枠（１）と、下向きにフランジ状に突出した外筒部（７）が円板部（６）の外周に設けられ、その外筒部（７）の外周面（７ａ）が大径筒部（３）の内周面（３ａ）と同一テーパー状に形成されてなる蓋体（５）とで構成され、蓋体（５）を閉じると、該蓋体外筒部（７）の外周面（７ａ）が受枠大径筒部（３）の内周面（３ａ）に摺接するとともに、前記蓋体外筒部（７）と前記受枠（１）の水平環状部（４）との間に隙間を形成したマンホールの蓋構造において、蓋体外筒部（７）の下端部の外周面（７ａ）側を下側に向けて突出する曲線状に形成して蓋体Ｒ面（５ａ）とすると共に、受枠（１）の大径筒部内周面（３ａ）と水平環状部（４）との連設部分でかつ蓋体Ｒ面（５ａ）に対向する部位を下側に向けて突出する曲線状に形成して受枠Ｒ面（１ａ）としたことを特徴とする。
【０００８】
また、請求項２に記載のマンホールの蓋構造は、マンホールの上端開口部に設けられ、小径筒部（２）の上端部と、内周面（３ａ）が上方に拡径するテーパー状に形成された大径筒部（３）の下端部とを水平環状部（４）で、その水平環状部（４）の内周側と外周側にそれぞれ連設してなる受枠（１）と、下向きにフランジ状に突出した外筒部（７）が円板部（６）の外周に設けられ、その外筒部（７）の外周面（７ａ）が大径筒部（３）の内周面（３ａ）と同一テーパー状に形成されてなる蓋体（５）とで構成され、蓋体（５）を閉じると、該蓋体外筒部（７）の外周面（７ａ）が受枠大径筒部（３）の内周面（３ａ）に摺接するとともに、前記蓋体外筒部（７）と前記受枠（１）の水平環状部（４）との間に隙間を形成したマンホールの蓋構造において、蓋体外筒部（７）の下端部の外周面（７ａ）側を下側に向けて突出する曲線状に形成して蓋体Ｒ面（５ａ）とすると共に、受枠（１）の大径筒部内周面（３ａ）と水平環状部（４）との連設部分でかつ蓋体Ｒ面（５ａ）に対向する部位を下側に向けて突出する曲線状に形成して受枠Ｒ面（１ａ）とし、前記蓋体（５）に押下げ力が作用した場合に前記蓋体Ｒ面（５ａ）を受枠Ｒ面（１ａ）に当接させるようにしたことを特徴とする。
【０００９】
なお、カッコ内の記号は図面および後述する発明の実施の形態に記載された対応要素または対応事項を示す。
【００１０】
本発明に記載のマンホールの蓋構造によれば、蓋体外筒部の外周面下端部を曲線状に形成して蓋体Ｒ面とすると共に、受枠の大径筒部内周面と水平環状部との連設部分で蓋体Ｒ面に対向する部位を同じく曲線状に形成して受枠Ｒ面としたので、蓋体が受枠に必要以上にくい込むのを防止することができ、マンホール内を点検する際などに蓋体を人力で開けることができる。また、蓋体と受枠との間で異音が発生するのを防止することができる。
【００１１】
蓋体が受枠に必要以上にくい込むのを防止することができるのは、次の理由によると考える。すなわち、蓋体に車両等の通過による押下げ力が作用した際に、その力は大径筒部の下端部に大きく作用する。しかし、当該下端部は蓋体Ｒ面に形成され、かつ、この蓋体Ｒ面は受枠Ｒ面に当接するので、その力は下方向にのみ集中することなく横方向（径方向）にも分散されて消滅する。これにより、蓋体に作用した押下げ力は弱められ、よって蓋体が受枠に大きくくい込むことが防止されるのである。
【００１２】
また、蓋体と受枠との間で異音が発生するのを防止することができるのも、蓋体に作用した押下げ力が蓋体Ｒ面と受枠Ｒ面とのはたらきによって横方向にも分散するため、蓋体が受枠に一点集中的に大きな力で突き当たることがないからであると考える。力が分散され、小さな力がより広い範囲にわたって作用するため、ガタツキが小さく、よって蓋体と受枠との間に異音が発生しないのである。
【００１３】
【発明の実施の形態】
図１および図２参照して、本発明の実施形態に係るマンホールの蓋構造について説明する。図１はマンホールの蓋構造を示す縦断面図であり、図２はその要部拡大図である。従来例で示したものと同一部分には同一符号を付した。
【００１４】
本発明の実施形態に係るマンホールの蓋構造は、受枠１と蓋体５とで構成される。受枠１は、マンホールの上端開口部に設けられ、小径筒部２の上端部と、内周面３ａが上方に拡径するテーパー状に形成された大径筒部３の下端部とを水平環状部４で、その水平環状部４の内周側と外周側にそれぞれ連設した略円筒状である。また、蓋体５は、下向きにフランジ状に突出した外筒部７が円板部６の外周に設けられた略円板状のもので、外筒部７の外周面７ａが前記大径筒部３の内周面３ａと同一テーパー状に形成されている。この蓋体５を閉じると、蓋体外筒部７の外周面７ａが受枠大径筒部３の内周面３ａに摺接する。
【００１５】
また、前記蓋体外筒部７の外周面７ａ下端部を曲線状に形成して蓋体Ｒ面５ａとすると共に、受枠１の大径筒部内周面３ａと水平環状部４との連設部分でかつ蓋体Ｒ面５ａに対向する部位を同じく曲線状に形成して受枠Ｒ面１ａとしている。なお、本実施形態においては、前記受枠１の水平環状部４上に、蓋体５の外筒部７下端面が弾接するシール材８を設けている。
【００１６】
このマンホールの蓋構造は、蓋体外筒部７の外周面７ａ下端部を曲線状に形成して蓋体Ｒ面５ａとすると共に、受枠１の大径筒部内周面３ａと水平環状部４との連設部分でかつ蓋体Ｒ面５ａに対向する部位を曲線状に形成して受枠Ｒ面１ａとしたので、蓋体５が受枠１に必要以上にくい込むのを防止することができ、マンホール内を点検する際などに蓋体５を人力で開けることができる。また、蓋体５と受枠１との間で異音が発生するのを防止することができる。
【００１７】
本発明者は、本実施形態に係るマンホールの蓋構造が、従来のものと比較して、ガタツキによる異音の発生が少ないこと、および蓋体５を人力で開けることができることを実験によって確認した。その実験結果を、図４乃至図９に示す。
図４乃至図６は本発明に係るマンホール蓋構造の結果を示し、図７乃至図９は従来技術に係る蓋構造の結果を示す。
【００１８】
この実験は、図３に示すように、蓋体５のＡ、Ｂ、Ｃの各点を、Ａ点とＣ点には１５０ＫＮの静荷重を、またＢ点には３００ＫＮの静荷重を、Ａ、Ｂ、Ｃの順で繰り返し加えて行なった。そして、各点に荷重を加えた際のＡ点とＣ点の沈下量を測定した（図４および図７）。また、その測定値を元に、Ａ点に荷重を加えた際のＡ点の沈下量から、Ｃ点に荷重を加えた際のＡ点の沈下量を減算すると共に、Ａ点に荷重を加えた際のＣ点の沈下量から、Ｃ点に荷重を加えた際のＣ点の沈下量を減算し、両沈下量の平均値を算出した（図５および図８）。さらに、この平均値をグラフに示した（図６および図９）。なお、沈下量は、受枠１の上面を基準とし、当該受枠１の上面と蓋体５の上面との高低差で求めた。
【００１９】
この実験結果から明らかなように、本発明に係るマンホールの蓋構造における蓋体５のガタツキ変位量の平均は、従来技術のそれが０．６２ｍｍであるのに対して０．３３ｍｍと約１／２の減少している。これにより、本発明の蓋構造は、従来技術のものと比較して異音の発生が少ないことが分かる。
【００２０】
また、この実験の後、受枠１に押し込まれた蓋体５を開け、それに要した力を測定した。その結果、従来技術のものでは１１ＫＮ必要であったのに対して、本発明の蓋構造ではわずか７．３ＫＮで足りた。このことから、従来技術における蓋体５は人力で開けることが困難であるが、本発明における蓋体５は人力で比較的容易に開けることができることが分かった。
【００２１】
【発明の効果】
本発明に記載のマンホールの蓋構造によれば、蓋体外筒部の外周面下端部を曲線状に形成して蓋体Ｒ面とすると共に、受枠の大径筒部内周面と水平環状部との連設部分で蓋体Ｒ面に対向する部位を同じく曲線状に形成して受枠Ｒ面としたので、蓋体が受枠に必要以上にくい込むのを防止することができ、マンホール内を点検する際などに蓋体を人力で開けることができる。また、蓋体と受枠との間で異音が発生するのを防止することができる。
【図面の簡単な説明】
【図１】本発明の実施形態に係るマンホールの蓋構造を示す縦断面図である。
【図２】図１に示すマンホールの蓋構造の要部を示す拡大断面図である。
【図３】マンホールの蓋構造の性能確認実験（繰り返し静荷重試験）において、静荷重を加えた箇所を示す概略平面図である。
【図４】本発明に係るマンホールの蓋構造の性能確認実験結果を示す表である。
【図５】図４に示す実験結果に基づいて算出した本発明に係るマンホールの蓋構造の蓋体のガタツキ変位差を示す表である。
【図６】図５に示すガタツキ変位差の平均値を表わすグラフである。
【図７】従来技術に係るマンホールの蓋構造の性能確認実験結果を示す表である。
【図８】図７に示す実験結果に基づいて算出した従来技術に係るマンホールの蓋構造の蓋体のガタツキ変位差を示す表である。
【図９】図８に示すガタツキ変位差の平均値を表わすグラフである。
【図１０】従来技術に係るマンホールの蓋構造の要部を示す拡大断面図である。
【符号の説明】
１      受枠
１ａ    受枠Ｒ面
２      小径筒部
３      大径筒部
３ａ    内周面
４      水平環状部
５      蓋体
５ａ    蓋体Ｒ面
６      円板部
７      外筒部
７ａ    外周面
８      シール材
１０    受枠
１１    小径筒部
１２    大径筒部
１２ａ  内周面
１３    水平環状部
１４    蓋体
１５    円板部
１６    外筒部
１６ａ  外周面
１６ｂ  切欠部
【図１】
0003667666.tif 000002
【図２】
0003667666.tif 000003
【図３】
0003667666.tif 000004
【図４】
0003667666.tif 000005
【図５】
0003667666.tif 000006
【図６】
0003667666.tif 000007
【図７】
0003667666.tif 000008
【図８】
0003667666.tif 000009
【図９】
0003667666.tif 000010
【図１０】
0003667666.tif 000011